(57)【特許請求の範囲】
【請求項１】
ユーザの人体を介して通信する通信手段と、
所定のデータを保存する記憶手段と、
前記所定のデータに対応する画像を表示する表示手段と、
前記表示手段に重畳されたタッチセンサと、
前記タッチセンサにより前記画像に対する前記ユーザの接触が検出された際に、通信待機状態である場合には人体を介する通信を開始し、当該ユーザの人体を介して通信可能な他の携帯通信機器が存在する場合には、前記通信手段によって前記画像に対応する所定のデータを送信し、通信待機状態でない場合には、人体を介する通信を開始しない制御手段と、を備え、
前記制御手段は、ユーザの人体を介して通信可能な他の携帯通信機器が存在せず、且つ、前記ユーザの接触が検出された画像に対して再度の接触が検出されると、当該画像に対応するデータの送信を制限する
ことを特徴とする携帯通信機器。
【請求項２】
前記制御手段は、前記タッチセンサにより前記画像に対する前記ユーザの接触が検出された際に、通信待機状態である場合には人体を介する通信を開始し、通信要求通知を当該ユーザの人体を介して送信し、当該通信要求通知に対する返答として通信可能通知を受信すると、ユーザの人体を介して通信可能な他の携帯通信機器が存在すると判定する
請求項１に記載の携帯通信機器。
【請求項３】
携帯通信機器がユーザの人体を介して通信するステップと、
前記携帯通信機器が所定のデータを保存するステップと、
前記携帯通信機器が前記所定のデータに対応する画像を表示するステップと、
前記画像に対する前記ユーザの接触を検出した際に、通信待機状態である場合には人体を介する通信を開始し、当該ユーザの人体を介して通信可能な他の携帯通信機器が存在する場合には、ユーザの人体を介して前記画像に対応する所定のデータを送信させ、通信待機状態でない場合には、人体を介する通信を開始しない一のステップと、を有し、
前記一のステップにおいて、ユーザの人体を介して通信可能な他の携帯通信機器が存在せず、且つ、前記ユーザの接触が検出された画像に対して再度の接触が検出されると、当該画像に対応するデータの送信を制限する
ことを特徴とする通信方法。
【請求項４】
第１の携帯通信機器と第２の携帯通信機器とを人体を介して通信する通信システムにおいて、
前記第１の携帯通信機器は、
ユーザの人体を介して通信する第１の通信手段と、
所定のデータを保存する記憶手段と、
前期所定のデータに対応する画像を表示する表示手段と、
前記表示手段に重畳されたタッチセンサと、
前記画像に対する前記ユーザの接触を検出した際に、通信可能状態である場合には人体を介する通信を開始し、当該ユーザの人体を介して通信可能な他の携帯通信機器が存在する場合には、前記第１の通信手段によって前記画像に対応する所定のデータを送信させ、通信待機状態でない場合には、人体を介する通信を開始しない第１の制御手段と、を有し、
前記第１の制御手段は、ユーザの人体を介して通信可能な他の携帯通信機器が存在せず、且つ、前記ユーザの接触が検出された画像に対して再度の接触が検出されると、当該画像に対応するデータの送信を制限し、
前記第２の携帯通信機器は、
ユーザの人体を介して通信する第２の通信手段と、
前記第１の通信手段によって、送信されたデータを前記第２の通信手段によって受信する第２の制御手段と、
を有することを特徴とする通信システム。
【発明の詳細な説明】
【技術分野】
【０００１】
本発明は携帯通信機器、通信方法及び通信システムに関し、特に人体を介して情報の送受信を行う携帯通信機器、通信方法及び通信システムに関する。
【背景技術】
【０００２】
従来、携帯通信機器同士間で、電話帳やプロフィールや画像等のデータを送受信する際には、赤外線通信やＢｌｕｅｔｏｏｔｈ等の近距離無線通信が用いられていた。これらの近距離無線通信は、互いの携帯通信機器が一定の領域以内に位置する場合のみに限られると共に、通信のために複雑な操作が必要となるため、高いセキュリティ性を有していた。
【０００３】
さらに、近年、携帯通信機器等の相互通信システムとして人体を媒体としてデータを送信する人体通信を利用したシステム（以下、人体通信システム）も提案されている。
【０００４】
特許文献１には、人体通信システムの一つの例として、互いの通信機器における人体通信部に人体が触れた場合にその人体を介して画像等のデータ通信を行う通信機器が提案されている。
【０００５】
また、特許文献２には、人体通信システムの他の例として、ユーザ情報の着信をトリガとして外部装置との人体通信が可能な状態に遷移する携帯端末が提案されている。
【０００６】
また、特許文献３には、人体通信システムの他の例として、指紋読み取り部による本人の指紋認証をトリガとして人体通信を可能な状態にするデータ通信機器が提案されている。
【先行技術文献】
【特許文献】
【０００７】
【特許文献１】特開２００４−２６０８００号公報
【特許文献２】特開２００９−２００６３８号公報
【特許文献３】特開２００３−１３２０３１号公報
【発明の概要】
【発明が解決しようとする課題】
【０００８】
上述した人体通信システムは、人体通信のトリガとして、ユーザ情報の着信や指紋認証等が必要なため、セキュリティ性は高いが、操作が多いため、操作性が悪かった。
【０００９】
本発明は、高いセキュリティ性を有すると共に、より簡易な操作での人体通信を可能とする通信機器を提供することを目的とする。
【課題を解決するための手段】
【００１０】
上記目的を達成するため、本発明の携帯通信機器は、ユーザの人体を介して通信する通信手段と、所定のデータを保存する記憶手段と、前記所定のデータに対応する画像を表示する表示手段と、前記表示手段に重畳されたタッチセンサと、前記タッチセンサにより前記画像に対する前記ユーザの接触が検出された際に、通信待機状態である場合には人体を介する通信を開始し、当該ユーザの人体を介して通信可能な他の携帯通信機器が存在する場合には、前記通信手段によって前記象徴画像に対応する所定のデータを送信し、通信待機状態でない場合には、人体を介する通信を開始しない制御手段と、を備え、前記制御手段は、ユーザの人体を介して通信可能な他の携帯通信機器が存在せず、且つ、前記ユーザの接触が検出された画像に対して再度の接触が検出されると、当該画像に対応するデータの送信を制限する。
また、好適には、前記制御手段は、前記タッチセンサにより前記画像に対する前記ユーザの接触が検出された際に、通信待機状態である場合には人体を介する通信を開始し、通信要求通知を当該ユーザの人体を介して送信し、当該通信要求通知に対する返答として通信可能通知を受信すると、ユーザの人体を介して通信可能な他の携帯通信機器が存在すると判定する。
【００１１】
また、好適には、前記制御手段は、前記他の通信機器が存在しない場合には、前記象徴画像に基づく所定のデータを前記記憶手段に一時的に保存させる。
【００１２】
また、好適には、前記制御手段は、前記記憶手段に一時的に保存させたデータを破棄することができる。
【００１３】
また、好適には、前記制御手段は、前記他の通信機器が存在しない場合、さらに同一の象徴画像に重畳する領域での前記ユーザの接触を検出すると、当該象徴画像に基づくデータの送信を禁止する。
【００１４】
また、好適には、前記通信手段による通信を許可するか否かを選択する操作手段をさらに有し、前記制御手段は、前記操作手段の操作により前記他の通信機器への通信が許可されている場合にのみ、前記ユーザの人体を介して前記他の通信機器に前記象徴画像に基づく所定のデータの送信が可能である。
【００１５】
また、好適には、前記記憶手段は、前記通信手段によって通信を行った他の携帯通信機器に関する情報を履歴情報として保存し、前記制御手段は、前記他の携帯通信機器が前記履歴情報を参照して、データの送信を許可するか否かを判定する。
【００１６】
また、好適には、外部ネットワークから前記所定のデータを取得する無線通信部をさらに備える。
【００１７】
第２の観点の発明の通信方法は、携帯通信機器がユーザの人体を介して通信するステップと、前記携帯通信機器が所定のデータを保存するステップと、前記携帯通信機器が前記所定のデータに対応する画像を表示するステップと、前記画像に対する前記ユーザの接触を検出した際に、通信待機状態である場合には人体を介する通信を開始し、当該ユーザの
人体を介して通信可能な他の携帯通信機器が存在する場合には、ユーザの人体を介して前記画像に対応する所定のデータを送信させ、通信待機状態でない場合には、人体を介する通信を開始しない一のステップと、を有し、前記一のステップにおいて、ユーザの人体を介して通信可能な他の携帯通信機器が存在せず、且つ、前記ユーザの接触が検出された画像に対して再度の接触が検出されると、当該画像に対応するデータの送信を制限する。
【００１８】
第３の観点の発明の通信システムは、第１の携帯通信機器と第２の携帯通信機器とを人体を介して通信する通信システムにおいて、前記第１の携帯通信機器は、ユーザの人体を介して通信する第１の通信手段と、所定のデータを保存する記憶手段と、前期所定のデータに対応する画像を表示する表示手段と、前記表示手段に重畳されたタッチセンサと、前記画像に対する前記ユーザの接触を検出した際に、通信可能状態である場合には人体を介する通信を開始し、当該ユーザの人体を介して通信可能な他の携帯通信機器が存在する場合には、前記第１の通信手段によって前記画像に対応する所定のデータを送信させ、通信待機状態でない場合には、人体を介する通信を開始しない第１の制御手段と、を有し、前記第１の制御手段は、ユーザの人体を介して通信可能な他の携帯通信機器が存在せず、且つ、前記ユーザの接触が検出された画像に対して再度の接触が検出されると、当該画像に対応するデータの送信を制限し、前記第２の携帯通信機器は、ユーザの人体を介して通信する第２の通信手段と、前記第１の通信手段によって、送信されたデータを前記第２の通信手段によって受信する第２の制御手段と、を有することを特徴とする通信システム。
【発明の効果】
【００１９】
本発明によれば、高いセキュリティ性を有すると共に、より簡易な操作での人体通信を可能とする通信機器を提供することができる。
【図面の簡単な説明】
【００２０】
【図１】本実施形態に係る携帯通信機器の構成を示すブロック図である。
【図２】本実施形態に係る携帯通信機器の正面図である。
【図３】本実施形態に係る携帯通信機器による人体通信が行われる状況を示す図である。
【図４】本実施形態に係る携帯通信機器１００ａの人体通信時におけるデータ送信処理を示すフローチャートである。
【図５】本実施形態に係る携帯通信機器１００ｂの人体通信時におけるデータ受信処理を示すフローチャートである。
【発明を実施するための形態】
【００２１】
以下、本発明にかかる携帯通信機器１００の実施形態について、添付図面に基づいて説明する。
【００２２】
図１は、本実施形態に係る携帯通信機器の構成を示すブロック図である。
【００２３】
また、図２は、本実施形態に係る携帯通信機器の正面図である。
【００２４】
また、図３は、本実施形態に係る携帯通信機器による人体通信が行われる状況を示す図である。
【００２５】
また、図４は、本実施形態に係る携帯通信機器１００ａの人体通信時におけるデータ送信処理を示すフローチャートである。
【００２６】
また、図５は、本実施形態に係る携帯通信機器１００ｂの人体通信時におけるデータ受信処理を示すフローチャートである。
【００２７】
本実施形態に係る携帯通信機器１００の構成について説明する。
【００２８】
携帯通信機器１００は、図１に示すように、制御部１４０と、人体通信部１１０と、人体通信送受信部１１１と、接触部１１２と、記憶部１２０と、表示部１３０と、タッチセンサ１５０と、補助操作部１５１と、を有する。
【００２９】
制御部１４０は、携帯通信機器１００の統括的な制御を行う。
【００３０】
また、制御部１４０は、主に、携帯通信機器１００のタッチセンサ１５０や補助操作部１５１の入力や人体通信部１１０における信号の受信を検出し、それに応じた出力を人体通信部１１０、記憶部１２０、表示部１３０にさせる。制御部１４０の詳細な動作については、各構成の説明と共に説明する。
【００３１】
人体通信部１１０は、人体を介して信号を送受信する人体通信送受信部１１２及び人体と接触又は近接して、人体に電界を生じさせる接触部１１２を含み、他の携帯通信機器１００ｂと人体通信を行う。
【００３２】
また、人体通信送受信部１１１は、人体を伝達しやすい周波数帯（数ｋＨｚ〜数１０ｋＨｚ）に各種信号（各種情報）を変調する。また、人体通信送受信部１１１は、受信した人体を伝達しやすい周波数帯（数ｋＨｚ〜数１０ｋＨｚ）に変調された各種信号（各種情報）を復調する。
【００３３】
接触部１１２は、人体の接触又は近接を検出する。また、接触部１１２は、接触又は近接した人体を介して、人体通信部の送信機からの送信信号に応じた電界を人体に生じさせることで、各種データを送信する。
【００３４】
また、接触部１１２は、接触又は近接した人体を介して、人体に生じた電界を検出し、その電界の変動に応じた信号を検出することで、各種データを受信する。
【００３５】
ここで、人体通信によって送受信させる各種データとは、例として、画像、電話帳、メール若しくはメモ等のデータである。
【００３６】
また、人体通信送受信部１１１は、記憶部１２０に一時的に保存されたデータをタッチセンサ１５０や補助操作部１５１による操作に応じて送信する。ここで、記憶部１２０に一時的に保存されたデータとは、例えば画像データや電話帳データ等のデータ容量の比較的小さいデータを指す。
【００３７】
なお、人体通信送受信部１１１は、他の携帯通信機器の人体通信部から送信される機器識別情報等の信号を能動的に受信してもよく、その信号を受信した際に、制御部１４０は、他の携帯通信機器に向けて携帯通信機器の機器識別情報を送信させることで、他の携帯通信機器と人体を介して能動的に通信接続を行ってもよい。
【００３８】
ここで、機器識別情報とは、各携帯通信機器に当初から割り振られており、記憶部１２０に保存されている固有のＩＤを指す。
【００３９】
また、携帯通信機器１００は、人体通信の開始時に、受信した固有のＩＤに基づいて受信側の携帯通信機器を特定する。
【００４０】
記憶部１２０は、携帯通信機器１００に固有の機器識別情報、画像や電話帳やメール、メモ等のデータを保存する。また、制御部１４０は、タッチセンサ１５０や補助操作部１５１の入力操作に応じて、データを記憶部１２０から出力させる。
【００４１】
また、記憶部１２０は、人体通信によって送受信するデータをバッファリングするメモリ領域も有する。
【００４２】
さらに、記憶部１２０は、今まで人体通信を行った他の携帯通信機器の機器識別情報等の情報を履歴情報として保存してもよい。また、制御部１４０は、機器識別情報と対応づけて通信の可否の情報をタッチセンサ１５０等の操作に応じて加えてもよい。
【００４３】
表示部１３０は、多数の画像（複数色の発光素子の組合わせ）を縦横に配して構成された有機ＥＬディスプレイ（Ｅｌｅｃｔｒｏ−Ｌｕｍｉｎｅｓｃｅｎｃｅ  Ｄｉｓｐｌａｙ）や樹脂基板上にトランジスタを形成したＴＦＴ液晶ディスプレイ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ）等で構成されており、記憶部１２０に保存されている画像データや電話帳データ等の象徴画像１３１（１３１ａ〜ｃ）を表示させる。
【００４４】
ここで、象徴画像１３１とは、人体通信によって送信するデータを象徴してユーザに視認させる画像を示す。具体的には、アイコン、サムネイル等を指す。
【００４５】
また、制御部１４０は、記憶部１２０から出力したデータを表示部１３０に表示させてもよい。
【００４６】
タッチセンサ１５０は、透明又は半透明の素材で形成され、表示部１３０に重畳される。タッチセンサ１５０の接触の感知方法としては、代表的には、圧力の変化を感知する感圧式と静電気による電気信号を感知する静電容量方式の２通りがある。
【００４７】
なお、本実施形態におけるタッチセンサ１５０において、表示部１３０に表示されている象徴画像に重畳される領域での人体の接触の検出は、その象徴画像１３１に基づくデータの人体通信を開始するトリガとなる。
【００４８】
制御部１４０は、象徴画像１３１に重畳される領域での人体の接触の検出によって、その象徴画像１３１に基づくデータをバッファリングすると共に、人体通信部１３０によって他の携帯通信機器を検索する信号を送出させる。
【００４９】
補助操作部１５１は、表示部の表示状態や機能状態に応じてその機能が変化する。また、補助操作部１５１は、本実施形態の携帯通信機器１００において、キー入力に応じて人体通信の可否を設定する設定手段としても機能する。具体的な実施形態の例としては、補助操作部１５１を押下継続中にのみ人体通信可能としてもよいし、若しくは補助操作部１５１の押下に応じて人体通信の可否を切り替えるようにしてもよい。制御部１４０は、補助操作部１５１の入力に応じて、人体通信の可否を切り替ることで、移動中等における人体通信によるデータの誤送信を防止することができる。なお、補助操作部１５１は、本実施形態の携帯通信機器１００においては、ユーザの操作性から側面部に設けているが、これには限られず、携帯通信機器１００の周辺部における任意の場所に備えられていてもよい。
【００５０】
無線通信部１６０は、電波を利用した無線通信を行うために、制御部１４０で処理された画像データ、音声情報、電子メール等の各種データを変調して送受信アンテナ１６１を通して基地局を含む通信網に送信する。
【００５１】
また、無線通信部１６０は、基地局経由で通信相手から通信網を介して送信されてくる画像データ、音声情報、電子メール等の各種データを送受信アンテナ１６１によって受信し、受信した各種データを復調して制御部１４０に出力する。各種データには、人体通信によって送信することが可能なデータ等も含まれる。
【００５２】
また、図２に示すように、携帯通信機器１００の正面部には、表示部１３０、表示部１３０に重畳されたタッチセンサ１５０と補助操作部１５１が備えられている。
【００５３】
表示部１３０には、複数の象徴画像１３１が表示されている。本実施形態における例として、象徴画像１３１ａ、１３１ｂは画像データの象徴画像、象徴画像１３１ｃは電話帳データの象徴画像１３１が表示部１３０に表示されている。なお、表示部１３０に表示される画像は象徴画像に限定される訳ではなく、象徴画像以外の他の画像が表示されていてもよい。例えば電池残量、電波状態を示す画像や、人体通信によって送信することのできないプログラム等のアイコンが表示部１３０に表示されていてもよい。
【００５４】
制御部１４０は、象徴画像１３１に重畳された領域での人体の接触を検出すると、その象徴画像１３１に基づいたデータを記憶部１２０にバッファリングする。また、この際に、人体通信を開始する旨の確認表示を表示部１３０に表示させてもよい。
【００５５】
次に、記憶部１２０にバッファリングしたデータは、人体通信送受信部１１１において変調され、送信機から信号として送出される。また、図２において示されていないが、接触部１１２は、表示部１３０近傍に設けられ、象徴画像１３１に対するユーザ２００の接触を表示部１３０に重畳されたタッチセンサ１５０によって検出すると、人体通信送受信部１１１から送出された信号に基づき、ユーザ２００の人体に電界を生じさせる。
【００５６】
図３には、本実施形態に係る携帯通信機器１００による人体通信が行われる状況を示している。
【００５７】
受信側である携帯通信機器１００ｂをユーザ２００が所持した状態で、送信側である携帯通信機器１００ａにより人体通信が開始されると、携帯通信機器１００ａの接触部１１２が発振することでユーザ２００に電界を生じさせる。その電界の変動を、受信側である携帯通信機器１００ｂの接触部１１２によって信号として検出する。
【００５８】
携帯通信機器１００ｂは、人体通信送受信部１１１によって受信した信号を復調し、それをデータとして記憶部１２０に保存する。
【００５９】
なお、図３においては、受信側である携帯通信機器１００ｂは、ユーザが直接、手に持った状態で示されているが、携帯通信機器１００ｂの接触部１１２とユーザ２００はお互いに近傍に位置すれば電界の変化を受信することができ、必ずしも直接触れている必要はない。そのため、携帯通信機器１００ｂは、通信待機状態にさえなっていれば、ポケットや鞄に入れた状態でもよい。
【００６０】
図４には、本実施形態に係る携帯通信機器１００ａの人体通信時におけるデータ送信処理の流れを示している。
【００６１】
また、図５には、本実施形態に係る携帯通信機器１００ｂの人体通信時におけるデータ受信処理の流れを示している。
【００６２】
まずは、送信側である携帯通信機器１００ａの人体通信時におけるデータ送信処理の流れを図４を参照しながら説明する。
【００６３】
ステップＳ１において、制御部１４０は、画像や電話帳が表示されている通信待機状態において、表示部１３０に画像や電話帳データに基づく象徴画像１３１が表示されている。
【００６４】
ステップＳ２において、制御部１４０は、象徴画像１３１に対応する領域においてユーザ２００の接触を検出するとステップＳ３に移り、ユーザ２００の接触を検出しないと象徴画像１３１が表示された状態を維持される。
【００６５】
ステップＳ３において、制御部１４０は、通信待機状態であるかを判定する。制御部１４０は、通信待機状態であると判定すると、ステップＳ２における象徴画像１３１へのユーザ２００の接触をトリガとして、ユーザ２００の人体を介して人体通信を開始する（ステップＳ５）。一方で、制御部１４０は、通信待機状態ではないと判定すると、人体通信を開始せず、象徴画像１３１に基づいた動作が行われる（ステップＳ４）。象徴画像に基づいた動作とは、例として象徴画像１３１に基づくデータ（以下、象徴データ）が画像データである場合、拡大された画像が表示されたり、あるいは象徴データが電話帳データである場合、電話帳の詳細項目が表示されたりする。
【００６６】
また、携帯通信機器１００の通信非待機状態から通信待機状態への切り替えはタッチセンサ１５０や補助操作部１５１の所定の操作により行われる。
【００６７】
ステップＳ５において、制御部１４０は、人体通信を開始し、接触しているユーザ２００の人体を介して、人体通信送受信部１１１によって、固有のＩＤと共に通信要求通知を送信させる（ステップＳ６）。制御部１４０は、通信要求通知を送信後、通信要求通知を受信した他の携帯通信機器からの通信可能である旨の信号（通信可能返答）を受信するまで一定時間、待機する。
【００６８】
ステップＳ７において、制御部１４０は、通信要求通知を受信した携帯通信機器１００ｂから同じく制御部１４０により一定時間以内に通信可能通知を受信すると、ステップＳ６において行われていた通信要求通知の送信を停止させ、象徴データをユーザ２００の人体を介して送信する（ステップＳ９）。一方で、制御部１４０は、一定時間以内に通信可能通知を受信しない場合、象徴データを一時的に記憶部１２０に保存して（ステップＳ８）、人体通信を終了する。この場合、象徴データを記憶部１２０に一時的に保存しておくことで、次回の人体通信において、同じ象徴データを送信する際に、象徴データをバッファリングする処理が発生せず、通信速度が増加するという効果を奏する。また、制御部１４０は、一時的に保存させてから所定の時間が経過すると、当該象徴画像１３１に基づく所定のデータを破棄してもよい。
【００６９】
ステップＳ１０において、制御部１４０は、象徴データを受信した携帯通信機器１００ｂから象徴データを受信した旨の通知（受信完了通知）を受信すると、人体通信を終了する。一方で、制御部１４０は、人体通信送受信部１１１が一定時間以内に受信完了通知を受信しなかった場合、ステップＳ９に戻り、人体通信送受信部１１１によって象徴データを再送させる。また、制御部１４０は、人体通信送受信部１１１によって所定の回数、象徴データを再送しても、携帯通信機器１００ｂからの受信完了通知通信を受信しない場合は象徴データの再送を終了させてもよい。
【００７０】
次に、受信側である携帯通信機器１００ｂの人体通信時におけるデータ受信処理の流れを図５を参照しながら説明する。
【００７１】
ステップＳ２１において、制御部１４０は、送信側である携帯通信機器１００ａから通信要求通知を受信した際に、通信待機状態であるかを判定する（ステップＳ２２）。制御部１４０は、通信待機状態であると判定すると、人体通信を開始する（ステップＳ２３）。一方で、制御部１４０は、通信不可であると判定した場合には、人体通信を開始せずに終了する。また、通信不可と判定される場合の例として、通話中等の通信非待機状態が挙げられる。
【００７２】
次に、ステップＳ２４において、制御部１４０は、人体通信を開始すると、携帯通信機器１００ａから通信要求通知を受信した際に、携帯通信機器１００ａにユーザを介して、固有のＩＤと共に通信可能である旨の通知（通信可能通知）を送信する。
【００７３】
さらに、ステップＳ２５において、制御部１４０は、携帯通信機器１００ａから送信されたデータを接触部１１２が受信すると、ステップＳ２４において行っていた人体通信送受信部１１１による通信可能通知の送信を停止させ、人体通信部１４０に受信を完了した旨の通知（受信完了通知）を携帯通信機器１００ｂに送信させる（ステップＳ２６）。一方で、制御部１４０は、一定時間以内に象徴データの受信が無かったら、人体通信を終了する。
【００７４】
ステップＳ２６において、制御部１４０は、人体通信送受信部１１１に受信完了通知を送信させると、人体通信を終了する。
【００７５】
なお、携帯通信機器１００ａの制御手段１４０は、ステップＳ７において、通知要求通知を送信後に通信完了通知が送信されなかった象徴画１３１像を記憶部１２０に記憶させる。さらに、再度、同一の象徴画像への接触を検出すると、その象徴画像１３１に基づくデータの送信を禁止するように制御してもよい。
【００７６】
また、携帯通信機器１００ａの制御手段１４０は、ステップＳ１０において、携帯通信機器１００ｂから受信完了通知を受信すると、携帯通信機器１００ｂの機器識別情報を記憶手段に保存する。さらに、再度、人体通信を開始し、ステップＳ７において、同一の携帯通信機器１００ｂからの通信可能通知を受信すると、記憶部１２０に保存されている履歴情報を参照して、携帯通信機器１００ｂに対する人体通信の可否を判定してもよい。
【００７７】
上述した構成によって、ユーザが高いセキュリティ性を有すると共に、より簡易な操作での人体通信を実現することができる。
【００７８】
また、一時的に保存されたデータを破棄することができるという構成を有するため、データ容量を節約できるという効果を有する。
【００７９】
また、象徴画像１３１に重畳する領域のユーザの接触を検出した際に、他の携帯通信機器１００ｂを検出しなかった（つまり、所有者自身が触った）後、さらに同一の象徴画像１３１に重畳する領域のユーザの接触を検出すると、象徴画像１３１に基づくユーザへの送信を許可しないことで、送信側ユーザ（所有者）の送信したくない画像を受信者側に送信されるのを防止するという効果を有する。
【００８０】
また、補助操作部１５１の操作により人体通信によるデータ送信を制限することで、データの誤送信を防止するという効果を有する。
【００８１】
また、記憶部１２０に保存していた人体通信の履歴情報を参照して人体通信を許可するか否かを判定することで、人体通信のセキュリティが向上するという効果を有する。
【００８２】
また、外部ネットワークから所定のデータを取得する無線通信部１６０をさらに備えることで、携帯通信機器１００の記憶部１２０に最初から保存されているデータ以外のデータについても人体通信によって通信することができるという効果を有する。
【００８３】
なお、本実施形態における携帯通信機器１００は、電界の変化を人体を介して伝達することで、人体通信を行う電界方式を利用しているが、この方式に限られず、微小な電流を人体を介して伝達することによって、人体通信を行う電流方式を利用してもよい。
【符号の説明】
【００８４】
１００（１００ａ、１００ｂ）  携帯通信機器
１１０  人体通信部
１１１  人体通信送受信部
１１２  接触部
１２０  記憶部（記憶手段）
１３０  表示部（表示手段）
１３１（１３１ａ，１３１ｂ，１３１ｃ）  象徴画像
１４０  制御部（制御手段）
１５０  タッチセンサ
１５１  補助操作部（操作手段）
１６０  無線通信部
１６１  送受信アンテナ
２００  ユーザ
【図１】
0005558134.tif 000002
【図２】
0005558134.tif 000003
【図３】
0005558134.tif 000004
【図４】
0005558134.tif 000005
【図５】
0005558134.tif 000006